(57)【要約】【課題】見栄えの低下を招くことなく、破損や汚れの生じた外装部品を他の外装部品と交換して使用できるようにして、交換部品の管理の容易化を図ることができる什器を提供する。【解決手段】設置面に立設される複数の脚柱１１と、各脚柱１１の外面に脱着可能に取り付けられる外装部材と、隣接する脚柱１１が相互に対向する左右方向と、上下方向に対して略直交する奥行方向の一側で、隣接する脚柱１１間に架設される架設部材と、を備えている。架設部材によって奥行方向の一側の少なくとも一部が覆われる外装部材は、いずれかの脚柱１１に対して奥行方向の前後を反転して交換取付可能に構成されている。【選択図】図７
2018175584.tif 000002
【特許請求の範囲】
【請求項１】
設置面に立設される複数の脚柱と、
各前記脚柱の外面に脱着可能に取り付けられる外装部材と、
隣接する前記脚柱が相互に対向する左右方向と、上下方向に対して略直交する奥行方向の一側で、隣接する前記脚柱間に架設される架設部材と、を備え、
前記架設部材によって前記奥行方向の一側の少なくとも一部が覆われる前記外装部材は、いずれかの前記脚柱に対して前記奥行方向の前後を反転して交換取付可能に構成されていることを特徴とする什器。
【請求項２】
前記奥行方向の一側の少なくとも一部が覆われる前記外装部材は、前記奥行方向の前後において対称形状に形成され、
前記奥行方向の一側の少なくとも一部が覆われる前記外装部材の取付部と前記脚柱の被取付部は、前記奥行方向の前後において対称に設けられていることを特徴とする請求項１に記載の什器。
【請求項３】
前記脚柱は、座と背凭れを支持するとともに、上面に肘掛けが取り付けられる椅子の脚柱であり、
前記架設部材は、前記背凭れの背凭れ本体の背部を後方傾斜状態で支持する背面板によって構成され、
前記脚柱の椅子幅方向の一側面と他側面には、前記背面板によって後面を覆われる外装部材である側部化粧板が脱着可能に取り付けられ、
前記側部化粧板の前後の端面と、前記脚柱の当該側部化粧板が取り付けられる領域の前後の端面とは、夫々対応する前後の端面の離間幅が下方に向かって狭まるように傾斜していることを特徴とする請求項１または２に記載の什器。
【発明の詳細な説明】
【技術分野】
【０００１】
本発明は、椅子等の什器に関するものである。
【背景技術】
【０００２】
講義室や劇場等で用いられる椅子として、フロア等の設置面に複数の脚柱が併設され、隣接する脚柱間に、着座者の臀部を支持する座と、着座者の背部を支持する背凭れが支持され、各脚柱の外側が外装部材である化粧板によって覆われたものが知られている（例えば、特許文献１参照）。
【０００３】
特許文献１に記載の椅子は、各脚柱に、脚柱の前端部領域を覆う断面略コ字状の第１の化粧板と、脚柱の左右の側面を覆う平板状の第２の化粧板が脱着可能に取り付けられている。
【先行技術文献】
【特許文献】
【０００４】
【特許文献１】特許第４１７７６４６号公報
【発明の概要】
【発明が解決しようとする課題】
【０００５】
特許文献１に記載の椅子は、着座者や歩行者の靴や荷物等が接触し易い各脚柱の前端部側領域が他の領域と別体の化粧板（第１の化粧板）によって構成されているため、靴や荷物等の接触によって破損したり、汚れたり易い部位の化粧板のみを単独で交換することができる。このため、部品の交換作業の容易化や交換部品のコストの削減等を図ることができる。
【０００６】
しかしながら、特許文献１に記載の椅子は、化粧板の一部だけが破損したり、汚れたりした場合であっても、新たな化粧板と交換しなければ外部からの見栄えを維持することができない。このため、予備の化粧板を多数保管したり、新たな化粧板を発注したりする必要があり、部品管理が煩雑になる。
【０００７】
そこで本発明は、見栄えの低下を招くことなく、破損や汚れの生じた外装部品を他の外装部品と交換して使用できるようにして、交換部品の管理の容易化を図ることができる什器を提供しようとするものである。
【課題を解決するための手段】
【０００８】
本発明に係る什器は、上記課題を解決するために、以下の構成を採用した。
即ち、本発明に係る什器は、設置面に立設される複数の脚柱と、各前記脚柱の外面に脱着可能に取り付けられる外装部材と、隣接する前記脚柱が相互に対向する左右方向と、上下方向に対して略直交する奥行方向の一側で、隣接する前記脚柱間に架設される架設部材と、を備え、前記架設部材によって前記奥行方向の一側の少なくとも一部が覆われる前記外装部材は、いずれかの前記脚柱に対して前記奥行方向の前後を反転して交換取付可能に構成されていることを特徴とする。
【０００９】
上記の構成により、外装部品の架設部材によって覆われる側と逆側の奥行方向の端部領域が破損したり、汚れたりした場合には、交換取付可能な他の外装部品と交換し、それぞれを奥行方向の前後を反転して対応する脚柱に取り付ける。これにより、破損したり、汚れたりした外装部品の端部領域が架設部材によって覆われ、外部から見え難くなる。
【００１０】
前記奥行方向の一側の少なくとも一部が覆われる前記外装部材は、前記奥行方向の前後において対称形状に形成され、前記奥行方向の一側の少なくとも一部が覆われる前記外装部材の取付部と前記脚柱の被取付部は、前記奥行方向の前後において対称に設けられるようにしても良い。
この場合、破損等を生じた外装部品を脚柱から取り外し、その外装部品の奥行方向の前後を反転して他の脚柱に取り付ける場合には、反転した外装部品の取付部を他の脚柱の被取付部に取り付けることが可能になる。反転して他の脚柱に取り付けられた外装部品は、交換前の他の外装部品と同形状で、かつ、脚柱上に同様に配置されることになる。したがって、この構成を採用した場合には、外見上の違和感を招くことなく、容易に外装部品の交換取付を行うことができる。
【００１１】
前記脚柱は、座と背凭れを支持するとともに、上面に肘掛けが取り付けられる椅子の脚柱であり、前記架設部材は、前記背凭れの背凭れ本体の背部を後方傾斜状態で支持する背面板によって構成され、前記脚柱の椅子幅方向の一側面と他側面には、前記背面板によって後面を覆われる外装部材である側部化粧板が脱着可能に取り付けられ、前記側部化粧板の前後の端面と、前記脚柱の当該側部化粧板が取り付けられる領域の前後の端面とは、夫々対応する前後の端面の離間幅が下方に向かって狭まるように傾斜した形状であっても良い。
この場合、椅子の脚柱の側部化粧板の取り付けられる領域の前後の端面が、離間幅が下方に向かって狭まるように傾斜して形成されるとともに、側部化粧板の前後の端面が同様に、離間幅が下方に向かって狭まるように傾斜して形成されているため、脚柱と側部化粧板の上方に奥行方向の長さの長い肘掛けを容易に配置でき、かつ、脚柱の下方領域に歩行スペースを大きく確保することができる。
【発明の効果】
【００１２】
本発明によれば、外装部品の架設部材によって覆われる側と逆側の奥行方向の端部領域が破損したり、汚れたりした場合に、奥行方向の前後を反転して他の外装部品と交換取付することにより、破損したり、汚れたりした端部領域を架設部材によって外部から見え難くすることができる。したがって、本発明を採用した場合には、見栄えの低下を招くことなく、破損や汚れの生じた外装部品を他の外装部品と交換して使用することができ、その結果、交換部品の管理の容易化を図ることができる。
【図面の簡単な説明】
【００１３】
【図１】本発明の一実施形態の連結椅子（什器）の斜視図である。
【図２】本発明の一実施形態の連結椅子（什器）の正面図である。
【図３】本発明の一実施形態の連結椅子（什器）の平面図である。
【図４】本発明の一実施形態の連結椅子（什器）の右側面図である。
【図５】本発明の一実施形態の連結椅子（什器）の左側面図である。
【図６】本発明の一実施形態の連結椅子（什器）が前後二列に並んだ状態を示す部分断面側面図である。
【図７】本発明の一実施形態の連結椅子（什器）の中央側の脚柱に化粧板が取り付けられた状態を示す側面図である。
【図８】本発明の一実施形態の連結椅子（什器）の化粧板の裏面を示す図である。
【図９】本発明の一実施形態の連結椅子（什器）の図７のＩＸ−ＩＸ線に沿う断面図である。
【図１０】本発明の一実施形態の連結椅子（什器）の図７のＸ−Ｘ線に沿う断面図である。
【発明を実施するための形態】
【００１４】
以下、本発明の一実施形態を図面に基づいて説明する。
本実施形態に係る什器は、劇場や講堂等に設置される連結椅子１である。なお、以下の説明において、前後、左右、上下等の各呼称は、特別に断らない限り、着座者が正規姿勢で着座したときにおける着座者を中心とした向きと合致する向きを意味するものとする。図中の適所には、前方を指す矢印ＦＲと、上方を指す矢印ＵＰと、左側方を指す矢印ＬＨが記されている。
【００１５】
図１は、本実施形態に係る連結椅子１を前側右斜め上方から見た図であり、図２は、連結椅子１を前方から見た図、図３は、連結椅子１を上方から見た図である。また、図４，図５は、連結椅子１を右側方から見た図と、連結椅子１を左側方から見た図であり、図６は、前後の連結椅子１を一部縦断面にして左側方から見た図である。
本実施形態に係る連結椅子１は、３つの単体椅子１Ａ，１Ｂ，１Ｃが横並びに一体に連結されている。連結椅子１は、劇場等の施設の床面Ｆ（設置面）上に横一列に所定数が並べて設置される。連結椅子１の横並びの列は、前後に所定距離離間して床面Ｆ上に複数設置されている。前後の連結椅子１の間と、横並びの列の端部には、歩行者の通り抜けが可能なスペースが確保されている。
【００１６】
連結椅子１は、左右方向に所定の間隔をおいて床面Ｆ（設置面）上に固定設置された複数（４つ）の脚柱１１と、隣接する脚柱１１に取り付けられて着座者の臀部や腿部を支持する複数（３つ）の座１２と、隣接する脚柱１１に取り付けられて着座者の腰部や背部を支持する複数（３つ）の背凭れ１３と、を備えている。連結椅子１は、隣接する脚柱１１間に、それぞれ座１２と背凭れ１３を持つ３つの単体椅子１Ａ，１Ｂ，１Ｃが形成されている。
なお、本実施形態においては、３つの単体椅子１Ａ，１Ｂ，１Ｃが横並びに一体に連結されて連結椅子１が形成されているが、横並びに一体に連結される単体椅子の数は３つに限らず任意である。
【００１７】
脚柱１１は、主要な部分が剛性の高い厚肉の金属プレートによって形成されている。脚柱１１は、図示しないアンカーボルトによって床面Ｆに固定される設置ベース部１１Ａと、設置ベース部１１Ａから鉛直方向上方に垂立する本体部１１Ｂと、本体部１１Ｂの上端部に略水平に取り付けられた上部プレート２２と、を有している。脚柱１１は、本体部１１Ｂの金属プレートの厚み方向が左右方向を向くように、床面Ｆ上に固定設置されている。本体部１１Ｂは、金属プレートの厚みに比較して大きな前後方向の幅を持ち、本体部１１Ｂの上部領域の左右の各側面には、木製の側部化粧板１４が脱着可能に取り付けられている。また、本体部１１Ｂの上方の上部プレート２２には、着座者が肘や肘先を載せ置くための木製の肘掛け１５が脱着可能に取り付けられている。
本実施形態においては、側部化粧板１４と肘掛け１５が、それそれ前後を反転して交換取付可能な外装部材を構成している。また、本実施形態においては、左右方向と上下方向に対して略直交する奥行方向は、連結椅子１の前後方向と合致する方向となっている。
【００１８】
図７は、側部化粧板１４と肘掛け１５が取り付けられた椅子幅方向の中央側の脚柱１１を左側方から見た図であり、図８は、図７の脚柱１１に取り付けられる側部化粧板１４を裏面から見た図である。また、図９は、図７のＩＸ−ＩＸ線に沿う断面を示す図であり、図１０は、図７のＸ−Ｘ線に沿う断面を示す図である。
図７に示すように、脚柱１１の本体部１１Ｂは、下端から所定高さまでの下部領域が略一定の前後幅で上方に向かって前方に傾斜しており、上記の所定高さよりも上方の上部領域では、上方に向かってテーパー状に拡幅している。本体部１１Ｂの上部領域は、前側の端面１１Ｂ−ｆが下部領域の前側の端面に連続するように上方側に向かって前傾斜し、後側の端面１１Ｂ−ｒが上方側に向かって後傾斜している。
【００１９】
各脚柱１１の上部領域の後縁部には、図示しないＬ字状のブラケットを介して背凭れ１３の背面板１６が締結固定されている。背凭れ１３は、着座者の腰部や背部からの入力荷重を、図示しないクッション部材を介して受け止める背凭れ本体１７と、背凭れ本体１７の背部に配置されて背凭れ本体１７を支持する背面板１６と、を備えている。背面板１６は、背凭れ本体１７の後部投影形状よりも大きい略矩形状の木製の板によって構成されている。
【００２０】
脚柱１１の本体部１１Ｂの下部領域には、図２，図３に示すように、座１２を支持するための支持ブロック１８が取り付けられている。支持ブロック１８は、脚柱１１の本体部１１Ｂのうちの隣接する脚柱１１に対向する面に設けられている。即ち、横並びの列の最も外側の脚柱１１は、左右の一方の面にのみ支持ブロック１８が取り付けられており、中間部の脚柱１１は、左右の両面に支持ブロック１８が取り付けられている。
【００２１】
座１２は、図示しない骨格部材の外側がクッション部材と表皮座に覆われて構成されている。また、座１２には、骨格部材に結合された左右方向に沿う回動軸（図示せず）と、その回動軸を左右方向の両側で回動自在に支持する一対の保持筒１９を備えた回動機構２０が内蔵されている。左右の各保持筒１９は、各脚柱１１に支持された支持ブロック１８に回動不能に結合されている。座１２は、これにより跳ね上げ回動可能に左右の脚柱１１に支持されている。また、座１２は、使用時には前方に略水平に倒され、不使用時には図示しないリターンスプリングの力によって後部上方に跳ね上げられる。
【００２２】
ここで、脚柱１１の本体部１１Ｂに取り付けられる側部化粧板１４は、サイズの異なる二種類のものが用意されている。一つは、外形の大きい第１の側部化粧板１４Ａであり、他の一つは第１の側部化粧板１４Ａよりも外形の小さい第２の側部化粧板１４Ｂである。第１の側部化粧板１４Ａは、連結椅子１の横並びの列の左右の最も外側の脚柱１１の外側面に取り付けけられ、第２の側部化粧板１４Ｂは、その他の脚柱１１の各側面と横並びの列の左右の最も外側の脚柱１１の内側面に取り付けられる。
【００２３】
第１の側部化粧板１４Ａと第２の側部化粧板１４Ｂは、図４〜図７に示すように、いずれも上辺が下辺よりも前後幅の広い台形状に形成されている。第１の側部化粧板１４Ａは、前後幅の中心を通る中心線Ｃ１に対して、前後に対称な台形形状に形成されている。同様に、第２の側部化粧板１４Ｂは、前後幅の中心を通る中心線Ｃ２に対して、前後に対称な台形形状に形成されている。ただし、第１の側部化粧板１４Ａは、第２の側部化粧板１４Ｂに対して、前後幅が広く、かつ、上下高さが大きく設定されている。第２の側部化粧板１４Ｂは、第１の側部化粧板１４Ａの上辺と前辺が合致するように、対応する脚柱１１の上辺と前辺に近接させて取り付けられる。
【００２４】
第１の側部化粧板１４Ａは、裏面側の上部に上辺から上方に突出する一対の差込金具２１Ａが取り付けられている。一対の差込金具２１Ａの上方突出部は、脚柱１１の本体部１１Ｂの上端に固定された金属製の上部プレート２２の嵌合孔２３に嵌入されている。嵌合孔２３は、前後方向の延出長さの長い略矩形状の孔によって構成されている。また、第１の側部化粧板１４Ａの下部側の裏面にはナット２４が埋め込み固定されており、脚柱１１の本体部１１Ｂに形成された挿通孔（図示せず）を貫通するボルト（図示せず）がそのナット２４に螺合されるようになっている。第１の側部化粧板１４Ａは、一対の差込金具２１Ａが上部プレート２２の嵌合孔２３に嵌入され、かつ、下部側のナット２４にボルトが締め込まれることによって対応する脚柱１１に脱着可能に取り付けられている。
【００２５】
一対の差込金具２１Ａは、第１の側部化粧板１４Ａの中心線Ｃ１を挟んで前後に対称に設けられており、ナット２４は、第１の側部化粧板１４Ａの中心線Ｃ１上に設けられている。したがって、第１の側部化粧板１４Ａの取付部である差込金具２１Ａとナット２４は前後方向においては対称に設けられている。また、差込金具２１Ａの嵌入される上部プレート２２の嵌合孔２３とボルトの挿入される本体部１１Ｂの挿通孔も前後方向において対称となるように設けられている。したがって、脚柱１１の被取付部である嵌合孔２３と挿通孔も前後方向において対称に設けられている。
よって、連結椅子１の左右の端部の脚柱１１に取り付けられている第１の側部化粧板１４Ａ同士は、前後を反転して交換取付可能とされている。
【００２６】
第２の側部化粧板１４Ｂは、図７〜図１０に示すように、第１の側部化粧板１４Ａと同様に、裏面側の上部に上辺から上方に突出する一対の差込金具２１Ｂが取り付けられている。一対の差込金具２１Ｂの上方突出部は、脚柱１１の上部プレート２２の嵌合孔２３に嵌入されている。第２の側部化粧板１４Ｂの下部中央領域には、図７，図１０に示すように、円形状の凹部４８が形成されるとともに、その凹部４８と同心に挿通孔４７が形成されている。脚柱１１の本体部１１Ｂの上部領域には、その側面に第２の側部化粧板１４Ｂを固定するボルト５０を挿通するための挿通孔４５が形成されている。
【００２７】
連結椅子１の端部を除く脚柱１１においては、図１０に示すように、本体部１１Ｂの左右両側面に第２の側部化粧板１４Ｂが左右対称に配置され、一方の第２の側部化粧板１４Ｂの挿通孔４７と、本体部１１Ｂの挿通孔４５と、他方の第２の側部化粧板１４Ｂの挿通孔４７にボルト５０が挿通される。このとき、一方の第２の側部化粧板１４Ｂの凹部４８にはボルト５０の頭部が配置され、他方の第２の側部化粧板１４Ｂの凹部４８には、ボルト５０の先端部が螺合されるナット２４が配置される。左右の第２の側部化粧板１４Ｂは、ボルト５０がナット２４に締め込まれることにより、脚柱１１の本体部１１Ｂに対して締結固定されている。
なお、第２の側部化粧板１４Ｂの上部の一対の差込金具２１Ｂは、ボルト５０がナット２４に締め込まれる前に、上部プレート２２の嵌合孔２３に嵌入される。第２の側部化粧板１４Ｂは、上部の一対の差込金具２１Ｂが嵌合孔２３に嵌入されることにより、脚柱１１に対して仮止めされる。
【００２８】
第２の側部化粧板１４Ｂの一対の差込金具２１Ｂは、第２の側部化粧板１４Ｂの中心線Ｃ２を挟んで前後に対称に設けられており、ボルト５０が挿通される挿通孔４７は、第２の側部化粧板１４Ｂの中心線Ｃ２上に設けられている。したがって、第２の側部化粧板１４Ｂの取付部である差込金具２１Ｂと挿通孔４７は、前後方向において対称に設けられている。また、差込金具２１Ｂの嵌入される上部プレート２２の嵌合孔２３とボルト５０の挿入される本体部１１Ｂの挿通孔４５も前後方向において対称となるように設けられている。したがって、脚柱１１の被取付部である嵌合孔２３と挿通孔４５も前後方向において対称に設けられている。
【００２９】
また、連結椅子１の端部に配置される脚柱１１の本体部１１Ｂには、本体部１１Ｂの内側面に第２の側部化粧板１４Ｂが脱着可能に取り付けられるようになっている。具体的には、本体部１１Ｂの上部領域には、第２の側部化粧板１４Ｂを固定するためのボルト（図示せず）が挿通される挿通孔（図示せず）が設けられるとともに、外側面側にボルトの先端部が螺合されるナット２４が固定されている。第２の側部化粧板１４Ｂは、一対の差込金具２１Ｂが上部プレート２２の嵌合孔２３に嵌入された状態で、ボルトがナット２４に締め込まれることによって端部の脚柱１１に固定されている。なお、脚柱１１の外側面に取り付けられる第１の側部化粧板１４Ａの裏面には、本体部１１Ｂに固定されたナットとの干渉を避けるための図示しない凹部が適宜形成されている。
したがって、第２の側部化粧板１４Ｂは、いずれかの脚柱１１に対して前後を反転して交換取付可能とされている。
【００３０】
ところで、連結椅子１の各背凭れ１３の背面板１６は、前述のように各脚柱１１の本体部１１Ｂに対し、本体部１１Ｂの後側の端面１１Ｂ−ｒに略沿うように後方傾斜して取り付けられている。そして、脚柱１１の本体部１１Ｂの左右の各側面に取り付けられた第１の側部化粧板１４Ａと第２の側部化粧板１４Ｂは、これらの後方側が背面板１６によって覆われている。即ち、椅子幅方向の外側端の背面板１６は、最も外側の脚柱１１と第１の側部化粧板１４Ａを越えて側方に延在しており、椅子幅方向で隣接する背面板１６同士は、中間部の脚柱１１に取り付けられた第２の側部化粧板１４Ｂの後方を覆うように、ほぼ隙間なく当接している。したがって、すべての側部化粧板１４は、これらの後面側を背面板１６の前面によって覆われている。
第１の側部化粧板１４Ａの後面は、図４，図５に示すように、背面板１６が当接した状態で背面板１６によって覆われている。これに対し、第２の側部化粧板１４Ｂは、第１の側部化粧板１４Ａに比較して前後幅が狭いため、図７に示すように、背面板１６が後方側に離間した状態において当該背面板１６によって後面を覆われている。ただし、第２の側部化粧板１４Ｂの後部寄りの側方には、前後方向の肉厚の厚い背凭れ本体１７が配置されているため、第２の側部化粧板１４Ｂの後面が外部から見えることはない。
なお、各脚柱１１の上部に取り付けられた肘掛け１５の後面は、当接状態で背面板１６によって覆われている。
【００３１】
また、各脚柱１１の上部に配置されている上部プレート２２には、当該上部プレート２２に肘掛け１５を脱着可能に取り付けるためのボルト挿通孔（図示せず）が設けられている。肘掛け１５は、前後方向において対称形状に形成されている。上部プレート２２のボルト挿通孔は、上部プレート２２の前後方向の対称位置に設けられており、肘掛け１５を前後方向において反転させての取付が可能とされている。なお、図中の符号４０は、上部プレート２２に肘掛け１５を締結固定するためのボルトである。
【００３２】
いずれかの第１の側部化粧板１４Ａの前端部領域が、着座者の足先や荷物等の接触によって破損したり、汚れたりした場合には、その不具合のある第１の側部化粧板１４Ａを他の第１の側部化粧板１４Ａと前後を反転して交換して取り付ける。このとき、一つの連結椅子１の横並び方向の一端側の第１の側部化粧板１４Ａを同じ連結椅子１の他端側の第１の側部化粧板１４Ａと交換して取り付けることができるが、別の連結椅子１の他端側の第１の側部化粧板１４Ａと交換して取り付けるようにしても良い。
このようにして、破損等の不具合のある第１の側部化粧板１４Ａが他の第１の側部化粧板１４Ａと前後を反転して交換して取り付けられると、第１の側部化粧板１４Ａの破損等の不具合のある領域が、背面板１６によって後方側を覆われることになる。このため、不具合のある箇所が外部から見えなくなる。
【００３３】
また、いずれかの第２の側部化粧板１４Ｂの前端部領域が、着座者の足先や荷物等の接触によって破損したり、汚れたりした場合には、その不具合のある第２の側部化粧板１４Ｂを他の第２の側部化粧板１４Ｂと前後を反転して交換して取り付ける。この場合、破損等の不具合のある第２の側部化粧板１４Ｂは、いずれかの脚柱１１の不具合のある第２の側部化粧板１４Ｂと左右逆側の面に取り付けられている別の第２の側部化粧板１４Ｂと交換する。このとき、不具合のある第２の側部化粧板１４Ｂは、同じ連結椅子１内の他の第２の側部化粧板１４Ｂと交換して取り付けることができるが、別の連結椅子１の第２の側部化粧板１４Ｂと交換して取り付けるようにしても良い。
こうして、破損等の不具合のある第２の側部化粧板１４Ｂが他の第２の側部化粧板１４Ｂと前後を反転して交換して取り付けられると、第２の側部化粧板１４Ｂの破損等の不具合のある領域が背面板１６によって後方側を覆われ、不具合のある箇所が外部から見えなくなる。
【００３４】
また、上述のように第１の側部化粧板１４Ａや第２の側部化粧板１４Ｂが、奥行方向の前後を反転して他のものと交換取付されると、各不具合のある箇所の後方側が背面板１６によって覆われるため、不具合のある箇所にさらに当接荷重等が入力されるのを防ぐことができる。したがって、不具合の生じた箇所のさらなる不具合の進行を防止することができる。
【００３５】
また、いずれかの肘掛け１５の前端部領域が、荷物等の接触によって破損したり、汚れたりした場合には、その不具合のある肘掛け１５を前後を反転して取り付け直す。この場合、破損等の不具合のある肘掛け１５を別の肘掛け１５と交換して、別の肘掛けのあった場所に反転させて取り付けることも可能である。なお、不具合のある肘掛け１５は、別の連結椅子１の肘掛け１５と同様にして交換しても良い。
こうして、破損等の不具合のある肘掛け１５がいずれかの脚柱１１に前後を反転して取り付け直されると、肘掛け１５の破損等の不具合のある領域が背面板１６によって後方側を覆われ、不具合のある箇所が外部から見えなくなる。
【００３６】
以上のように、本実施形態に係る連結椅子１は、第１の側部化粧板１４Ａが、他の第１の側部化粧板１４Ａと前後を反転して交換取付可能に構成されるとともに、第２の側部化粧板１４Ｂも、他の第２の側部化粧板１４Ｂと前後を反転して交換取付可能に構成されている。このため、第１の側部化粧板１４Ａや第２の側部化粧板１４Ｂの前端部側が破損したり、汚れたりしたときには、第１の側部化粧板１４Ａや第２の側部化粧板１４Ｂを、前後を反転して他のものと交換取付することができる。そして、こうして第１の側部化粧板１４Ａや第２の側部化粧板１４Ｂを前後反転して他のものと交換取付されると、破損等の不具合のある箇所が、架設部材である背面板１６によって覆い隠され、外部から見え難くなる。
したがって、この構成を採用した場合には、見栄えの低下を招くことなく、破損や汚れの生じた第１の側部化粧板１４Ａや第２の側部化粧板１４Ｂを他のものと交換して使用することができ、その結果、交換部品の管理の容易化を図ることができる。
【００３７】
また、本実施形態に係る連結椅子１の場合、各肘掛け１５が前後を反転して取り付け可能とされている。このため、肘掛け１５の前端部領域が破損したり、汚れたりした場合には、肘掛け１５の前後を反転して取り付け直すことにより、肘掛け１５の不具合箇所を背面板１６によって隠すことができる。したがって、肘掛け１５についても、交換部品の管理の容易化を図ることができる。
【００３８】
また、本実施形態に係る連結椅子１においては、第１の側部化粧板１４Ａと第２の側部化粧板１４Ｂがそれぞれ前後方向において対称形状に形成されるとともに、これらの取付部と脚柱１１側の被取付部が前後に対称に設けられている。このため、破損等の不具合のある第１の側部化粧板１４Ａや第２の側部化粧板１４Ｂを脚柱１１から取り外して、これらの前後を反転して他の脚柱１１の被取付部に取り付けるときには、特別な部品を追加することなく、容易に脚柱１１に取り付けることができる。また、こうして反転して他の脚柱１１に取り付けられた第１の側部化粧板１４Ａや第２の側部化粧板１４Ｂは、交換前の第１の側部化粧板１４Ａや第２の側部化粧板１４Ｂと同形状で、かつ、同様に脚柱１１上に配置されることになる。
したがって、本実施形態に係る連結椅子１を採用した場合には、外見上の違和感を招くことなく、第１の側部化粧板１４Ａや第２の側部化粧板１４Ｂの交換取付を容易に行うことができる。
【００３９】
さらに、本実施形態に係る連結椅子１は、第１の側部化粧板１４Ａと第２の側部化粧板１４Ｂの前後の端面が、当該前後の端面の離間幅が下方に向かって狭まるように傾斜し、脚柱１１のこれらの第１の側部化粧板１４Ａと第２の側部化粧板１４Ｂが取り付けられる上部領域の前後の端面も、同様に、当該前後の端面の離間幅が下方に向かって窄まるように傾斜している。このため、脚柱１１と、第１の側部化粧板１４Ａや第２の側部化粧板１４Ｂの上方側に前後方向の長さの長い肘掛け１５を容易に配置できるとともに、脚柱１１の下方の前後に歩行スペースを大きく確保することができる。
【００４０】
なお、本発明は上記の実施形態に限定されるものではなく、その要旨を逸脱しない範囲で種々の設計変更が可能である。例えば、上記の実施形態においては、側部化粧板１４と肘掛け１５の両方が、奥行方向の前後を反転して交換取付可能な外装部材を構成しているが、側部化粧板１４と肘掛け１５のいずれか一方のみを、奥行方向の前後を反転して交換取付な外装部材としても良い。
また、上記の実施形態の什器は、劇場や講堂等で用いられる連結椅子であるが、什器は、このような連結椅子に限らず、設置面に立設される複数の脚柱と、脚柱に対して脱着可能な外装部材と、脚柱の奥行方向の一側で隣接する脚柱間に架設される架設部材を備えるものであれば、物品載置台やその他の什器であっても良い。
【符号の説明】
【００４１】
１  連結椅子（什器）
１１  脚柱
１４  側部化粧板（外装部材）
１５  肘掛け（外装部材）
１６  背面板（架設部材）
１７  背凭れ本体
２１Ａ  差込金具（取付部）
２３  嵌合孔（被取付部）
２４  ナット（取付部）
４５  挿通孔（被取付部）
４７  挿通孔（取付部）
Ｆ  床面（設置面）
【図１】
2018175584.tif 000003
【図２】
2018175584.tif 000004
【図３】
2018175584.tif 000005
【図４】
2018175584.tif 000006
【図５】
2018175584.tif 000007
【図６】
2018175584.tif 000008
【図７】
2018175584.tif 000009
【図８】
2018175584.tif 000010
【図９】
2018175584.tif 000011
【図１０】
2018175584.tif 000012